(57)【要約】【課題】  表示素子及びその製造方法において、低コスト、高スループット及び光学材料の自由度が高いこと等の特徴を維持しつつ、パターニングの精度を向上させることを目的とする。【解決手段】  この目的を達成するために、発光材料または正孔注入層を配置される所定位置に対応して段差を形成した後に、発光材料または正孔注入層の原料となる液体材料をインクジェット法により塗布する。【選択図】図４
2007053114.tif 000002
【特許請求の範囲】
【請求項１】
所定位置に発光材料または正孔注入層が配置された表示素子の製造
方法であって、
前記所定位置と前記所定位置の周囲との境界に段差を形成する工程を、含むこ
と、
を特徴とする表示素子の製造方法。
【請求項２】
請求項１に記載の表示素子の製造方法において、
前記所定位置が前記所定位置の周囲より低くなるように前記段差を形成するこ
と、
を特徴とする表示素子の製造方法。
【請求項３】
請求項１または２に記載の表示素子の製造方法において、
液体材料を塗布することにより、前記所定位置に対応して前記発光材料または
前記正孔注入層を配置すること、
を特徴とする表示素子の製造方法。
【請求項４】
請求項３に記載の表示素子の製造方法において、
前記液状材料をインクジェット方式により塗布すること、
を特徴とする表示素子の製造方法。
【請求項５】
請求項１乃至４のいずれかに記載の表示素子の製造方法において、
さらにデータ線を形成する工程と、
信号線を形成する工程と、
前記所定位置に対応してスイッチング素子を形成する工程と、を含むこと、
を特徴とする表示素子の製造方法。
【請求項６】
請求項１乃至５のいずれかに記載の表示素子の製造方法において、
前記所定位置の前記液体材料に対する親液性を前記所定位置の周囲に比べて向
上させる工程を含むこと、
を特徴とする表示素子の製造方法。
【請求項７】
請求項６に記載の表示素子の製造方法において、
前記液体材料を塗布する前に、プラズマ照射を用いて前記所定位置の前記液体
材料に対する親液性を前記所定位置の周囲に比べて向上させること、
を特徴とする表示素子の製造方法。
【請求項８】
請求項７に記載の表示素子の製造方法において、
前記プラズマ照射を、Ｏ２、ＣＦ４、及びＡｒから選ばれた１つ気体をプラズ
マの原料として行うこと、
を特徴とする表示素子の製造方法。
【請求項９】
請求項８に記載の表示素子の製造方法において、
前記プラズマ照射を、Ｏ２、ＣＦ４、及びＡｒから選ばれた少なくとも２つの
気体からなる混合気体を用いて行うこと、
を特徴とする表示素子の製造方法。
【発明の詳細な説明】
【技術分野】
【０００１】
本発明は、基板の上方の所定位置に選択的に蛍光材料（発光材料）や光変調材
料等の光学材料を配置された表示素子に関するものである。
【背景技術】
【０００２】
ＬＣＤ（Liquid Crystal Display）やＥＬ（Electroluminescense ）表示素子
等のマトリクス型表示素子は、軽量、薄型、高画質および高精細を実現する表示
素子として、多種かつ多数用いられている。マトリクス型表示素子は、マトリク
ス状のバス配線と、光学材料（発光材料または光変調材料）と、必要に応じて他
の構造とにより構成される。
【０００３】
ここで、単色のマトリクス型表示素子であれば、配線や電極は表示基板上にマ
トリクス状に配置する必要はあるが、光学材料は、表示基板全面に一様に塗布す
ることも可能である。
【０００４】
これに対し、例えば自己が発光するタイプであるＥＬ表示素子でいわゆるカラ
ーのマトリクス型表示素子を実現しようとする場合、一画素毎に、ＲＧＢという
光の三原色に対応して三つの画素電極を配置するとともに、各画素電極毎にＲＧ
Ｂいずれかに対応した光学材料を塗布しなければならない。つまり、光学材料を
所定の位置に選択的に配置する必要がある。
【０００５】
そこで、光学材料をパターニングする方法の開発が望まれるのであるが、有効
なパターニング方法の候補としては、エッチングと塗布とが挙げられる。
【０００６】
エッチングによる場合の工程は、次のようになる。
【０００７】
先ず、表示基板上に、光学材料の層を形成する。次に、光学材料の層の上にレ
ジスト膜を形成し、そのレジスト膜をマスクを介して露光した後にパターニング
する。そして、エッチングを行い、レジストのパターンに応じて、光学材料の層
のパターニングを行う。
【０００８】
しかしながら、この場合は、工程数が多く、各材料、装置が高価であることに
より、コストが高くなる。また、工程数が多く、各工程が複雑であることにより
、スループットも悪い。さらに、光学材料の化学的性質によっては、レジストや
エッチング液に対する耐性が低く、これらの工程が不可能な場合もある。
【０００９】
一方、塗布による場合の工程は、次のようになる。
【００１０】
先ず、光学材料を溶媒に溶かして液状にし、この液状の光学材料を、表示基板
上の所定位置に、インクジェット方式等により選択的に塗布する。そして、必要
に応じて、加熱や光照射等により、光学材料を固形化する。この場合は、工程数
が少なく、各材料、装置が安価であることにより、コストが安くなる。また、工
程数が少なく、各工程が簡略であることにより、スループットも良い。さらに、
光学材料の化学的性質に関係なく、液状化ができれば、これらの工程が可能であ
る。
【発明の開示】
【発明が解決しようとする課題】
【００１１】
上記のような塗布によるパターニングの方法は、一見容易に実行可能なように
も思える。しかし、インクジェット方式により光学材料を塗布する際には、その
光学材料を溶媒により数十倍以上希釈しなければならないため、その流動性が高
く、塗布した後にそれの固形化が完了するまで塗布位置に保持しておくことが困
難であることが判った。
【００１２】
つまり、液状の光学材料の流動性に起因して、パターニングの精度が悪いこと
である。例えば、ある画素に塗布した光学材料が、隣接する画素に流出すること
により、画素の光学特性が劣化する。また、各画素毎に、塗布面積にバラツキが
生じることにより、塗布厚さにバラツキが生じ、光学材料の光学特性にバラツキ
が生じる。
【００１３】
かかる問題点は、塗布する際には液状で、後に固形化されるＥＬ表示素子用の
発光材料等で顕著であるが、塗布した際及びその後も液状である液晶を、表示基
板上に選択的に塗布する場合にも同様に生じる問題点である。
【００１４】
本発明は、このような従来の技術が有する未解決の課題に着目してなされたも
のであって、低コスト、高スループットおよび光学材料の自由度が高いこと等の
特徴を維持しつつ、液状の光学材料を所定位置に確実に配置することができる表
示素子の製造方法を提供することを目的としている。
【課題を解決するための手段】
【００１５】
本発明の表示素子の製造方法は、所定位置に対応して発光材料または正孔注入
層が配置された表示素子の製造方法であって、前記所定位置と前記所定位置の周
囲との境界に段差を形成する工程を、含むことを特徴とする。
【００１６】
上記の表示素子の製造方法において、前記所定位置が前記所定位置の周囲より
低くなるように前記段差を形成することが好ましい。
【００１７】
上記の表示素子の製造方法において、液体材料を塗布することにより、前記所
定位置に対応して前記発光材料または前記正孔注入層を配置するようにしてもよ
い。前記液体材料の塗布にはインクジェット方式を用いることができる。
【００１８】
上記の表示素子の製造方法において、さらにデータ線を形成する工程と、信号
線を形成する工程と、
前記所定位置に対応してスイッチング素子を形成する工程と、を含むようにし
てもよい。
上記の表示素子の製造方法において、前記所定位置の前記液体材料に対する親液
性を前記所定位置の周囲に比べて向上させる工程を含むことが好ましい。
【００１９】
上記の表示素子の製造方法において、前記液体材料を塗布する前に、プラズマ
照射を用いて前記所定位置の前記液体材料に対する親液性を前記所定位置の周囲
に比べて向上させることが可能である。
【００２０】
前記プラズマ照射を、Ｏ２、ＣＦ４、及びＡｒから選ばれた１つ気体をプラズ
マの原料として行うこと、ができる。
【００２１】
また、前記プラズマ照射を、Ｏ２、ＣＦ４、及びＡｒから選ばれた少なくとも
２つの気体からなる混合気体を用いて行うようにしてもよい。
【００２２】
本発明のマトリクス型表示素子は、表示基板上の所定位置に選択的に光学材料
を配置した構成を有し、前記光学材料は少なくとも前記所定位置に塗布される際
には液状であるマトリクス型表示素子であって、前記所定位置とその周囲との境
界部分に、前記光学材料を選択的に塗布するための段差を有するものである。
【００２３】
本発明のマトリクス型表示素子は、上記のような段差を有しているため、塗布
する際に光学材料が液状であっても、それを所定位置に選択的に配置することが
できる。つまり、本発明のマトリクス型表示素子は、光学材料が所定位置に正確
に配置された高性能のマトリクス型表示素子である。
【００２４】
本発明のマトリクス型表示素子の製造方法は、表示基板上の所定位置に選択的
に光学材料を配置した構成を有し、前記光学材料は少なくとも前記所定位置に塗
布される際には液状であるマトリクス型表示素子の製造方法であって、前記液状
の光学材料を塗布するための段差を、前記表示基板の上方の前記所定位置とその
周囲との境界部分に形成する工程と、前記段差を利用して前記所定位置に前記液
状の光学材料を塗布する工程と、を備えている。
【００２５】
上記のマトリクス型表示素子の製造方法によれば、液状の光学材料を塗布する
前に段差を形成するため、所定位置に塗布された液状の光学材料が周囲に広がる
ことを、その段差により抑制することができる。この結果、例えば、低コスト、
高スループットおよび光学材料の自由度が高いこと等の特徴を維持しつつ、パタ
ーニングの精度を向上させることが可能となる。
【００２６】
上記のマトリクス型表示素子の製造方法において、前記段差を設け、前記所定
位置の方がその周囲よりも低くなっている凹型の形状とし、前記表示基板の前記
液状の光学材料が塗布される面を上に向けて、前記所定位置に前記液状の光学材
料を塗布するようにしてもよい。
【００２７】
このようにすることにより、表示基板の光学材料が塗布される面を上に向ける
と、段差によって形成される凹部も上向きとなる。そして、その凹部の内側に液
状の光学材料が塗布されると、重力により凹部内に光学材料が溜まるようになり
、塗布された液状の光学材料は、それが極端に大量でない限り重力や表面張力等
によって凹部内に溜まっていることができるから、この状態で例えば乾燥させて
光学材料を固形化しても問題はなく、高精度のパターニングが行える。
【００２８】
また、逆に、前記段差を設けて、前記所定位置の方がその周囲よりも高くなっ
ている凸型の形状とすることも可能である。前記表示基板の前記液状の光学材料
が塗布される面を下に向けて、前記所定位置に前記液状の光学材料を塗布するよ
うにしてもよい。
【００２９】
このようにすることにより、表示基板の光学材料が塗布される面を下に向ける
と、段差によって形成される凸部も下向きとなる。そして、その凸部に液状の光
学材料が塗布されると、表面張力により凸部上に光学材料が集まるようになり、
塗布された液状の光学材料は、それが極端に大量でない限り表面張力によって凸
部上に溜まっていることができるから、この状態で例えば乾燥させて光学材料を
固形化しても問題はなく、高精度のパターニングが行える。
【００３０】
本発明の第２のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板上に、複数の第１のバス配線を形成する工程と、前記液状の光学材料
を塗布するための段差を、表示基板上の前記所定位置とその周囲との境界部分に
形成する工程と、前記段差を利用して前記所定位置に前記液状の光学材料を塗布
する工程と、前記第１のバス配線と交差する複数の第２のバス配線を、前記光学
材料を覆うように形成する工程と、を備えている。
【００３１】
このようにすることにより、液状の光学材料を塗布する前に段差を形成するた
め、所定位置に塗布された液状の光学材料が周囲に広がることを、その段差によ
り阻止することができる。この結果、低コスト、高スループットおよび光学材料
の自由度が高いこと等の特徴を維持しつつ、パターニングの精度を向上させるこ
とが可能となる。
【００３２】
本発明の第３のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板の上方に、複数の第１のバス配線を形成する工程と、前記液状の光学
材料を塗布するための段差を、前記表示基板上の前記所定位置とその周囲との境
界部分に形成する工程と、前記段差を利用して前記所定位置に前記液状の光学材
料を塗布する工程と、剥離用基板上に、剥離層を介して複数の第２のバス配線を
形成する工程と、前記光学材料が塗布された表示基板上に、前記剥離用基板上の
前記剥離層から剥離された構造を、前記第１のバス配線と前記第２のバス配線と
が交差するように転写する工程と、を備えている。
【００３３】
このようにすることにより、液状の光学材料を塗布する前に段差を形成するた
め、所定位置に塗布された液状の光学材料が周囲に広がることを、その段差によ
り阻止することができる。この結果、低コスト、高スループットおよび光学材料
の自由度が高いこと等の特徴を維持しつつ、パターニングの精度を向上させるこ
とが可能となる。また、光学材料が配置された後に、その上面に第２のバス配線
用の層を形成しこれをエッチングするような工程は行われない分、光学材料等の
下地材料へのその後の工程によるダメージを軽減することが可能となる。
【００３４】
本発明の第４のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板上に、複数の走査線及び信号線を含む配線と、前記所定位置に対応し
た画素電極と、前記配線の状態に応じて前記画素電極の状態を制御するためのス
イッチング素子と、を形成する工程と、前記液状の光学材料を塗布するための段
差を、前記表示基板上の前記所定位置とその周囲との境界部分に形成する工程と
、前記段差を利用して前記所定位置に前記液状の光学材料を塗布する工程と、を
備えている。
【００３５】
このようにすることにより、液状の光学材料を塗布する前に段差を形成するた
め、所定位置に塗布された液状の光学材料が周囲に広がることを、その段差によ
り阻止することができる。この結果、低コスト、高スループットおよび光学材料
の自由度が高いこと等の特徴を維持しつつ、パターニングの精度を向上させるこ
とが可能となる。
【００３６】
本発明の第５のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記液状の光学材料を塗布するための段差を、前記表示基板上の前記所定位置とそ
の周囲との境界部分に形成する工程と、前記段差を利用して前記所定位置に前記
液状の光学材料を塗布する工程と、剥離用基板上に、剥離層を介して、複数の走
査線及び信号線を含む配線と、前記所定位置に対応した画素電極と、前記配線の
状態に応じて前記画素電極の状態を制御するためのスイッチング素子と、を形成
する工程と、前記光学材料が塗布された表示基板上に、前記剥離用基板上の前記
剥離層から剥離された構造を転写する工程と、を備えている。
【００３７】
このようにすることにより、液状の光学材料を塗布する前に段差を形成するた
め、所定位置に塗布された液状の光学材料が周囲に広がることを、その段差によ
り阻止することができる。この結果、低コスト、高スループットおよび光学材料
の自由度が高いこと等の特徴を維持しつつ、パターニングの精度を向上させるこ
とが可能となる。さらに光学材料が配置された後に、その上面に配線用の層や画
素電極用の層を形成しこれらをエッチングするような工程は行われない分、光学
材料等の下地材料へのその後の工程によるダメージや、走査線、信号線、画素電
極またはスイッチング素子等への、光学材料の塗布等によるダメージを、軽減す
ることが可能となる。
【００３８】
上記のマトリクス型表示素子の製造方法において、前記段差は、前記第１のバ
ス配線を利用して形成され、前記所定位置の方がその周囲よりも低くなっている
凹型の段差であり、前記液状の光学材料を塗布する工程では、前記表示基板の前
記液状の光学材料が塗布される面を上に向けて、前記所定位置に前記液状の光学
材料を塗布するようにしてもよい。
【００３９】
上記のマトリクス型表示素子の製造方法において、液状の光学材料を塗布する
前に段差を形成するため、所定位置に塗布された液状の光学材料が周囲に広がる
ことを、その段差により阻止することができる。この結果、低コスト、高スルー
プットおよび光学材料の自由度が高いこと等の特徴を維持しつつ、パターニング
の精度を向上させることが可能となる。さらに、第１のバス配線を利用して段差
を形成すれば、第１のバス配線を形成する工程の一部又は全部が、段差を形成す
る工程を兼ねるようになるから、工程の増加を抑制できる。
【００４０】
また、走査線、信号線、または、共通給電線などの配線を利用して段差を形成
すれば、配線を形成する工程の一部又は全部が、段差を形成する工程を兼ねるよ
うになるから、工程の増加を抑制できる。
【００４１】
上記のマトリクス型表示素子の製造方法において、前記所定位置の方がその周
囲よりも高くなっている凸型の段差であり、前記液状の光学材料を塗布する工程
では、前記表示基板の前記液状の光学材料が塗布される面を下に向けて、前記所
定位置に前記液状の光学材料を塗布するようにしてもよい。この場合、前記段差
の形成には、前記画素電極を利用することができる。
【００４２】
このようにすれば画素電極を利用して段差を形成する結果、画素電極を形成す
る工程の一部又は全部が、段差を形成する工程を兼ねるようになるから、工程の
増加を抑制できる。
【００４３】
上記のマトリクス型表示素子の製造方法において、層間絶縁膜を形成する工程
を備え、前記段差は、前記層間絶縁膜を利用して形成され、前記所定位置の方が
その周囲よりも低くなっている凹型の段差であり、前記液状の光学材料を塗布す
る工程では、前記表示基板の前記液状の光学材料が塗布される面を上に向けて、
前記所定位置に前記液状の光学材料を塗布するようになっていてもよい。
【００４４】
このようにすることにより、層間絶縁膜を利用して段差を形成する結果、層間
絶縁膜を形成する工程の一部又は全部が、段差を形成する工程を兼ねるようにな
るから、工程の増加を抑制できる。
【００４５】
上記のマトリクス型表示素子の製造方法において、さらに遮光層を形成する工
程を備え、前記段差は、前記遮光層を利用して形成され、前記所定位置の方がそ
の周囲よりも低くなっている凹型の段差であり、前記液状の光学材料を塗布する
工程では、前記表示基板の前記液状の光学材料が塗布される面を上に向けて、前
記所定位置に前記液状の光学材料を塗布するようにしてもよい。
【００４６】
このようにすることにより、遮光層を利用して段差を形成する結果、遮光層を
形成する工程の一部又は全部が、段差を形成する工程を兼ねるようになるから、
工程の増加を抑制できる。
【００４７】
上記のマトリクス型表示素子の製造方法において、前記段差を形成する工程は
、液状の材料を塗布した後にこれを選択的に除去することにより段差を形成する
ようにしてもよい。液状の材料としては、例えば、レジスト等が適用でき、レジ
ストを適用した場合には、表示基板面上にレジストをスピンコートして適当な厚
さのレジスト膜を形成し、そのレジスト膜を露光・エッチングして所定位置に対
応して凹部を形成し、これにより段差を形成することができる。
【００４８】
このようにすることにより、段差を形成する工程の簡略化が可能となると同時
に、下地材料へのダメージを軽減しつつ、高低差の大きい段差も容易に形成する
ことが可能となる。
【００４９】
上記のマトリクス型表示素子の製造方法において、前記段差を形成する工程は
、剥離用基板上に剥離層を介して段差を形成し、その剥離用基板上の剥離層から
剥離された構造を表示基板上に転写するようにしてもよい。
【００５０】
このようにすることにより、剥離基板上に別途形成した段差を転写するように
なっているから、段差を形成する工程の簡略化が可能となると同時に、下地材料
へのダメージを軽減しつつ、高低差の大きい段差も容易に形成することが可能と
なる。
【００５１】
上記のマトリクス型表示素子の製造方法において、前記段差の高さｄr は、下
記（１）式を満たすようにしてもよい。
【００５２】
ｄa ＜ｄr                     ……（１）
ただし、ｄa は前記液状の光学材料の一回当たりの塗布厚さである。
【００５３】
このようにすれば、液状の光学材料の表面張力に頼らなくても、凹型の段差を
越えて、所定位置の周囲に光学材料が流出することを抑制することが可能となる
。
【００５４】
上記のマトリクス型表示素子の製造方法において、下記（２）式を満たすよう
にしてもよい。
【００５５】
Ｖd ／（ｄb ・ｒ）＞Ｅt       ……（２）
ただし、Ｖd は前記光学材料に印加される駆動電圧、ｄb は前記液状の光学材
料の各塗布厚さの和、ｒは前記液状の光学材料の濃度、Ｅt は前記光学材料の光
学特性変化が現れる最少の電界強度（しきい電界強度）である。
【００５６】
これにより、塗布厚さと駆動電圧との関係が明確化され、光学材料の電気光学
効果が発現することが補償される。
【００５７】
上記のマトリクス型表示素子の製造方法において、前記段差の高さｄr は、下
記（３）式を満たすようにしてもよい。
【００５８】
ｄf ＝ｄr                     ……（３）
ただし、ｄf は前記光学材料の完成時の厚さである。
【００５９】
このようにすることにより、段差と完成時の光学材料との平坦性が確保され、
光学材料の光学特性変化の一様性と、短絡の防止が可能となる。
【００６０】
上記のマトリクス型表示素子の製造方法において、前記完成時の厚さｄf は、
下記（４）式を満たすようにしてもよい。
【００６１】
Ｖd ／ｄf ＞Ｅt               ……（４）
ただし、Ｖd は前記光学材料に印加される駆動電圧、Ｅt は前記光学材料の光
学特性変化が現れる最少の電界強度（しきい電界強度）である。
【００６２】
このようにすることにより、塗布厚さと駆動電圧との関係が明確化され、光学
材料の電気光学効果が発現することが補償される。
【００６３】
本発明の第６のマトリクス型表示素子の製造方法は、前記表示基板上の前記所
定位置の親液性をその周囲の親液性よりも相対的に強くする工程と、前記所定位
置に前記液状の光学材料を塗布する工程と、を備えている。
【００６４】
このようにすることにより、液状の光学材料を塗布する前に所定位置の親液性
を強くするようになっているため、所定位置に塗布された液状の光学材料は、そ
の周囲よりも所定位置に溜まり易くなっており、所定位置とその周囲との親液性
の差を十分に大きくしておけば、所定位置に塗布された液状の光学材料はその周
囲には広がらない。
【００６５】
この結果、低コスト、高スループットおよび光学材料の自由度が高いこと等の
特徴を維持しつつ、パターニングの精度を向上させることが可能となる。
【００６６】
なお、表示基板上の所定位置の親液性をその周囲の親液性よりも相対的に強く
する工程としては、所定位置の親液性を強くするか、所定位置の周囲の撥液性を
強くするか、若しくはその両方を行うことが考えられる。
【００６７】
本発明の第７のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板上に、複数の第１のバス配線を形成する工程と、前記表示基板上の前
記所定位置の親液性をその周囲の親液性よりも相対的に強くする工程と、前記所
定位置に前記液状の光学材料を塗布する工程と、前記第１のバス配線と交差する
複数の第２のバス配線を、前記光学材料を覆うように形成する工程と、を備えて
いる。
【００６８】
本発明の第８のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板上に、複数の第１のバス配線を形成する工程と、前記表示基板上の前
記所定位置の親液性をその周囲の親液性よりも相対的に強くする工程と、前記所
定位置に前記液状の光学材料を塗布する工程と、剥離用基板上に、剥離層を介し
て複数の第２のバス配線を形成する工程と、前記光学材料が塗布された表示基板
上に、前記剥離用基板上の前記剥離層から剥離された構造を、前記第１のバス配
線と前記第２のバス配線とが交差するように転写する工程と、を備えている。
【００６９】
このようにすることにより、例えば、光学材料が配置された後に、その上面に
第２のバス配線用の層を形成しこれをエッチングするような工程は行われない分
、光学材料等の下地材料へのその後の工程によるダメージを軽減することが可能
となる。
【００７０】
本発明の第９のマトリクス型表示素子の製造方法は、表示基板上の所定位置に
選択的に光学材料を配置した構成を有し、前記光学材料は少なくとも前記所定位
置に塗布される際には液状であるマトリクス型表示素子の製造方法であって、前
記表示基板上に、複数の走査線及び信号線を含む配線と、前記所定位置に対応し
た画素電極と、前記配線の状態に応じて前記画素電極の状態を制御するためのス
イッチング素子と、を形成する工程と、前記表示基板上の前記所定位置の親液性
をその周囲の親液性よりも相対的に強くする工程と、前記所定位置に前記液状の
光学材料を塗布する工程と、を備えている。
【００７１】
本発明の第１０のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法であって、
前記表示基板上の前記所定位置の親液性をその周囲の親液性よりも相対的に強く
する工程と、前記所定位置に前記液状の光学材料を塗布する工程と、剥離用基板
上に、剥離層を介して、複数の走査線及び信号線を含む配線と、前記所定位置に
対応した画素電極と、前記配線の状態に応じて前記画素電極の状態を制御するた
めのスイッチング素子と、を形成する工程と、前記光学材料が塗布された表示基
板上に、前記剥離用基板上の前記剥離層から剥離された構造を転写する工程と、
を備えている。
【００７２】
このようにすることにより、例えば、光学材料が配置された後に、その上面に
配線用の層や画素電極用の層を形成しこれらをエッチングするような工程は行わ
れない分、光学材料等の下地材料へのその後の工程によるダメージや、走査線、
信号線、画素電極またはスイッチング素子等への、光学材料の塗布等によるダメ
ージを、軽減することが可能となる。
【００７３】
上記のマトリクス型表示素子の製造方法において、前記表示基板上の前記第１
のバス配線に沿って撥液性の強い分布を形成することにより、前記表示基板上の
前記所定位置の親液性をその周囲の親液性よりも相対的に強くするようにしても
よい。
【００７４】
このようにすることにより、第１のバス配線に沿って親液性の強い分布を形成
する結果、第１のバス配線を形成する工程の一部又は全部が、前記所定位置の親
液性をその周囲の親液性よりも相対的に強くする工程を兼ねるようになるから、
工程の増加を抑制できる。
【００７５】
また、上記のマトリクス型表示素子の製造方法において、前記表示基板上の前
記配線に沿って撥液性の強い分布を形成することにより、前記表示基板上の前記
所定位置の親液性をその周囲の親液性よりも相対的に強くすることも可能である
。
【００７６】
このようにすることにより、配線を形成する工程の一部又は全部が、前記所定
位置の親液性をその周囲の親液性よりも相対的に強くする工程を兼ねるようにな
るから、工程の増加を抑制できる。
【００７７】
上記のマトリクス型表示素子の製造方法において、前記表示基板上の前記画素
電極表面の親液性を強くすることにより、前記表示基板上の前記所定位置の親液
性をその周囲の親液性よりも相対的に強くするようにしてもよい。
【００７８】
このようにすることにより、画素電極表面の親液性を強くする結果、画素電極
を形成する工程の一部又は全部が、前記所定位置の親液性をその周囲の親液性よ
りも相対的に強くする工程を兼ねるようになるから、工程の増加を抑制できる。
【００７９】
上記のマトリクス型表示素子の製造方法において、層間絶縁膜を形成する工程
を備え、前記表示基板上の前記層間絶縁膜に沿って撥液性の強い分布を形成する
ことにより、前記表示基板上の前記所定位置の親液性をその周囲の親液性よりも
相対的に強くするようにしてもよい。
【００８０】
このようにすることにより、層間絶縁膜に沿って親液性の強い分布を形成する
結果、層間絶縁膜を形成する工程の一部又は全部が、前記所定位置の親液性をそ
の周囲の親液性よりも相対的に強くする工程を兼ねるようになるから、工程の増
加を抑制できる。
【００８１】
上記のマトリクス型表示素子の製造方法において、前記画素電極の表面は露出
するように層間絶縁膜を形成する工程を備え、前記層間絶縁膜を形成する際には
、前記液状の光学材料を塗布するための段差を、前記画素電極の表面が露出する
部分とその周囲との境界部分に形成し、前記層間絶縁膜の表面の撥液性を強くす
ることにより、前記表示基板上の前記所定位置の親液性をその周囲の親液性より
も相対的に強くするようにしてもよい。
【００８２】
このようにすることにより、液状の光学材料が塗布される前に、層間絶縁膜に
よって凹型の段差が形成されるとともに、その層間絶縁膜の表面の撥液性が強く
なることにより所定位置の親液性がその周囲の親液性よりも相対的に強くなって
いる。このため、所定位置に塗布された液状の光学材料が周囲に広がることを、
より確実に阻止することができる。この結果、低コスト、高スループットおよび
光学材料の自由度が高いこと等の特徴を維持しつつ、パターニングの精度をさら
に向上させることが可能となる。
【００８３】
上記のマトリクス型表示素子の製造方法において、遮光層を形成する工程を備
え、前記表示基板上の前記遮光層に沿って撥液性の強い分布を形成することによ
り、前記表示基板上の前記所定位置の親液性をその周囲の親液性よりも相対的に
強くするようにしてもよい。
【００８４】
このようにすることにより、遮光層に沿って親液性の強い分布を形成する結果
、遮光層を形成する工程の一部又は全部が、前記所定位置の親液性をその周囲の
親液性よりも相対的に強くする工程を兼ねるようになるから、工程の増加を抑制
できる。
【００８５】
上記のマトリクス型表示素子の製造方法において、紫外線を照射する若しくは
Ｏ2 ，ＣＦ3 ，Ａｒ等のプラズマを照射することにより、前記所定位置とその周
囲との親液性の差を大きくするようにしてもよい。
【００８６】
このようにすれば、例えば、層間絶縁膜表面等の撥液性を容易に強くすること
ができる。
【００８７】
上記のマトリクス型表示素子の製造方法において、前記表示基板上の前記所定
位置の親液性をその周囲の親液性よりも相対的に強くする工程を備えていてもよ
い。
【００８８】
また、上記のマトリクス型表示素子の製造方法において、前記液状の光学材料
を塗布するための段差を、前記表示基板上の前記所定位置とその周囲との境界部
分に形成する工程を備えてもよい。
【００８９】
このようにすることにより、液状の光学材料が塗布される前に、所定の段差が
形成されるとともに、所定位置の親液性がその周囲の親液性よりも相対的に強く
なる。所定位置に塗布された液状の光学材料が周囲に広がることを、より確実に
阻止することができる。この結果、低コスト、高スループットおよび光学材料の
自由度が高いこと等の特徴を維持しつつ、パターニングの精度をさらに向上させ
ることが可能となる。
【００９０】
本発明の第１１のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法であって、
前記表示基板上に、前記所定位置とその周囲とが異なる電位となるように電位分
布を形成する工程と、前記電位分布を利用して前記液状の光学材料を前記所定位
置に選択的に塗布する工程と、を備えている。
【００９１】
このようにすることにより、液状の光学材料を塗布する前に電位分布を形成す
るため、所定位置に塗布された液状の光学材料が周囲に広がることを、その電位
分布により阻止することができる。この結果、低コスト、高スループットおよび
光学材料の自由度が高いこと等の特徴を維持しつつ、パターニングの精度を向上
させることが可能となる。
【００９２】
本発明の第１２のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法において、
前記表示基板上に、前記所定位置とその周囲とが異なる電位となるように電位分
布を形成する工程と、前記液状の光学材料を、前記所定位置の周囲との間で斥力
が発生する電位に帯電させてから、前記所定位置に塗布する工程と、を備えてい
る。
【００９３】
このようにすることにより、塗布された液状の光学材料と所定位置の周囲との
間に斥力が生じるから、所定位置に塗布された液状の光学材料が周囲に広がるこ
とを、阻止することができる。この結果、低コスト、高スループットおよび光学
材料の自由度が高いこと等の特徴を維持しつつ、パターニングの精度を向上させ
ることが可能となる。
【００９４】
本発明の第１３のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法であって、
前記表示基板上に、複数の第１のバス配線を形成する工程と、前記表示基板上に
、前記所定位置とその周囲とが異なる電位となるように電位分布を形成する工程
と、前記液状の光学材料を、前記所定位置の周囲との間で斥力が発生する電位に
帯電させてから、前記所定位置に塗布する工程と、前記第１のバス配線と交差す
る複数の第２のバス配線を、前記光学材料を覆うように形成する工程と、を備え
ている。
【００９５】
本発明の第１４のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法において、
前記表示基板上に、複数の第１のバス配線を形成する工程と、前記表示基板上に
、前記所定位置とその周囲とが異なる電位となるように電位分布を形成する工程
と、前記液状の光学材料を、前記所定位置の周囲との間で斥力が発生する電位に
帯電させてから、前記所定位置に塗布する工程と、剥離用基板上に、剥離層を介
して複数の第２のバス配線を形成する工程と、前記光学材料が塗布された表示基
板上に、前記剥離用基板上の前記剥離層から剥離された構造を、前記第１のバス
配線と前記第２のバス配線とが交差するように転写する工程と、を備えている。
【００９６】
このようにすることにより、光学材料が配置された後に、その上面に第２のバ
ス配線用の層を形成しこれをエッチングするような工程は行われない分、光学材
料等の下地材料へのその後の工程によるダメージを軽減することが可能となる。
【００９７】
本発明の第１５のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法であって、
前記表示基板上に、複数の走査線及び信号線を含む配線と、前記所定位置に対応
した画素電極と、前記配線の状態に応じて前記画素電極の状態を制御するための
スイッチング素子と、を形成する工程と、前記表示基板上に、前記所定位置とそ
の周囲とが異なる電位となるように電位分布を形成する工程と、前記液状の光学
材料を、前記所定位置の周囲との間で斥力が発生する電位に帯電させてから、前
記所定位置に塗布する工程と、を備えている。
【００９８】
本発明の第１６のマトリクス型表示素子の製造方法は、表示基板上の所定位置
に選択的に光学材料を配置した構成を有し、前記光学材料は少なくとも前記所定
位置に塗布される際には液状であるマトリクス型表示素子の製造方法であって、
前記表示基板上に、前記所定位置とその周囲とが異なる電位となるように電位分
布を形成する工程と、前記液状の光学材料を、前記所定位置の周囲との間で斥力
が発生する電位に帯電させてから、前記所定位置に塗布する工程と、剥離用基板
上に、剥離層を介して、複数の走査線及び信号線を含む配線と、前記所定位置に
対応した画素電極と、前記配線の状態に応じて前記画素電極の状態を制御するた
めのスイッチング素子と、を形成する工程と、前記光学材料が塗布された表示基
板上に、前記剥離用基板上の前記剥離層から剥離された構造を転写する工程と、
を備えている。
【００９９】
このようにすることにより、光学材料が配置された後に、その上面に配線用の
層や画素電極用の層を形成しこれらをエッチングするような工程は行われない分
、光学材料等の下地材料へのその後の工程によるダメージや、走査線、信号線、
画素電極またはスイッチング素子等への、光学材料の塗布等によるダメージを、
軽減することが可能となる。
【０１００】
上記のマトリクス型表示素子の製造方法において、前記電位分布は、少なくと
も前記表示基板上の前記所定位置の周囲が帯電するように形成するようにしても
よい。
【０１０１】
このようにすることにより、状の光学材料を帯電させることにより確実に斥力
を発生させることができるようになる。
【０１０２】
上記のマトリクス型示素子の製造方法において、前記電位分布は、前記第１の
バス配線に電圧を印加することにより形成するようにしてもよい。
【０１０３】
また、上記のマトリクス型表示素子の製造方法において、前記電位分布は、前
記配線に電圧を印加することにより形成するようにしてもよい。
【０１０４】
そして、上記のマトリクス型表示素子の製造方法において、前記電位分布は、
前記画素電極に電圧を印加することにより形成するようにしてもよい。
【０１０５】
上記のマトリクス型表示素子の製造方法において、前記電位分布は、前記走査
線に順次電圧を印加し、同時に前記信号線に電位を印加し、前記画素電極に前記
スイッチング素子を介して電圧を印加することにより形成するようにしてもよい
。
【０１０６】
上記のマトリクス型表示素子の製造方法において、遮光層を形成する工程を備
え、前記電位分布は、前記遮光層に電圧を印加することにより形成されるように
してもよい。
【０１０７】
このようにすれば、マトリクス型表示素子が備える構成を利用して電位分布を
形成するため、工程の増加が抑制できる。
【０１０８】
上記のマトリクス型表示素子の製造方法において、前記電位分布は、前記所定
位置とその周囲とが逆極性となるように形成するようにしてもよい。
【０１０９】
このようにすることにより、液状の光学材料と所定位置との間には引力が発生
し、液状の光学材料と所定位置の周囲との間には斥力が発生するため、光学材料
が所定位置により溜まり易くなり、パターニングの精度がさらに向上する。
【０１１０】
なお、上記のマトリクス型表示素子の製造方法における前記光学材料としては
、例えば無機又は有機の発光材料を適用することができる。発光材料としては、
ＥＬ（Electroluminescense ）が好適である。液状の光学材料とするためには、
適当な溶媒に溶かして溶液とすればよい。
【０１１１】
また、マトリクス型表示素子の製造方法における前記光学材料としては、例え
ば液晶材料も採用可能である。
【０１１２】
上記のマトリクス型表示素子の製造方法において、前記スイッチング素子は、
非晶質シリコン、６００℃以上の高温プロセスで形成された多結晶シリコン又は
６００℃以下の低温プロセスで形成された多結晶シリコンにより形成するように
してもよい。
【０１１３】
このようにすることにより、光学材料のパターニングの精度を向上させること
が可能となる。特に低温プロセスで形成された多結晶シリコンを用いた場合には
、ガラス基板の使用による低コスト化と、高移動度による高性能化が両立できる
。
【発明を実施するための最良の形態】
【０１１４】
以下、本発明の好ましい実施の形態を、図面に基づいて説明する。
【０１１５】
（１）第１の実施の形態
第１図乃至第５図は、本発明の第１の実施の形態を示す図であって、この実施
の形態は、本発明に係るマトリクス型表示素子及びその製造方法を、ＥＬ表示素
子を用いたアクティブマトリクス型の表示装置に適用したものである。より具体
的には、配線としての走査線、信号線及び共通給電線を利用して、光学材料とし
ての発光材料の塗布を行う例を示している。
【０１１６】
第１図は、本実施の形態における表示装置１の一部を示す回路図であって、こ
の表示装置１は、透明の表示基板上に、複数の走査線１３１と、これら走査線１
３１に対して交差する方向に延びる複数の信号線１３２と、これら信号線１３２
に並列に延びる複数の共通給電線１３３と、がそれぞれ配線された構成を有する
とともに、走査線１３１及び信号線１３２の各交点毎に、画素領域素１Ａが設け
られている。
【０１１７】
信号線１３２に対しては、シフトレジスタ、レベルシフタ、ビデオライン、ア
ナログスイッチを備えるデータ側駆動回路３が設けられている。また、走査線１
３１に対しては、シフトレジスタおよびレベルシフタを備える走査側駆動回路４
が設けられている。さらに、また、画素領域１Ａの各々には、走査線１３１を介
して走査信号がゲート電極に供給されるスイッチング薄膜トランジスタ１４２と
、このスイッチング薄膜トランジスタ１４２を介して信号線線１３２から供給さ
れる画像信号を保持する保持容量ｃａｐと、該保持容量ｃａｐによって保持され
た画像信号がゲート電極に供給されるカレント薄膜トランジスタ１４３と、この
カレント薄膜トランジスタ１４３を介して共通給電線１３３に電気的に接続した
ときに共通給電線１３３から駆動電流が流れ込む画素電極１４１と、この画素電
極１４１と反射電極１５４との間に挟み込まれる発光素子１４０と、が設けられ
ている。
【０１１８】
かかる構成であれば、走査線１３１が駆動されてスイッチング薄膜トランジス
タ１４２がオンとなると、その時の信号線１３２の電位が保持容量ｃａｐに保持
され、該保持容量ｃａｐの状態に応じて、カレント薄膜トランジスタ１４３のオ
ン・オフ状態が決まる。そして、カレント薄膜トランジスタ１４３のチャネルを
介して、共通給電線１３３から画素電極１４１に電流が流れ、さらに発光素子１
４０を通じて反射電極１５４に電流が流れるから、発光素子１４０は、これを流
れる電流量に応じて発光する。
【０１１９】
ここで、各画素領域１Ａの平面構造は、反射電極や発光素子を取り除いた状態
での拡大平面図である第２図に示すように、平面形状が長方形の画素電極１４１
の四辺が、信号線１３２、共通給電線１３３、走査線１３１及び図示しない他の
画素電極用の走査線によって囲まれた配置となっている。
【０１２０】
第３図〜第５図は、画素領域１Ａの製造過程を順次示す断面図であって、第２
図のＡ−Ａ線断面に相当する。以下、第３図〜第５図に従って、画素領域１Ａの
製造工程を説明する。
【０１２１】
先ず、第３図（ａ）に示すように、透明の表示基板１２１に対して、必要に応
じて、ＴＥＯＳ（テトラエトキシシラン）や酸素ガスなどを原料ガスとしてプラ
ズマＣＶＤ法により厚さが約２０００〜５０００オングストロームのシリコン酸
化膜からなる下地保護膜（図示せず。）を形成する。次いで、表示基板１２１の
温度を約３５０℃に設定して、下地保護膜の表面にプラズマＣＶＤ法により厚さ
が約３００〜７００オングストロームのアモルファスのシリコン膜からなる半導
体膜２００を形成する。次にアモルファスのシリコン膜からなる半導体膜２００
に対して、レーザアニールまたは固相成長法などの結晶化工程を行い、半導体膜
２００をポリシリコン膜に結晶化する。レーザアニール法では、例えば、エキシ
マレーザでビームの長寸が４００ｍｍのラインビームを用い、その出力強度はた
とえば２００ｍＪ／ｃｍ2 である。ラインビームについてはその短寸方向におけ
るレーザ強度のピーク値の９０％に相当する部分が各領域毎に重なるようにライ
ンビームを走査する。
【０１２２】
次いで、第３図（ｂ）に示すように、半導体膜２００をパターニングして島状
の半導体膜２１０とし、その表面に対して、ＴＥＯＳ（テトラエトキシシラン）
や酸素ガスなどを原料ガスとしてプラズマＣＶＤ法により厚さが約６００〜１５
００オングストロームのシリコン酸化膜または窒化膜からなるゲート絶縁膜２２
０を形成する。なお、半導体膜２１０は、カレント薄膜トランジスタ１４３のチ
ャネル領域及びソース・ドレイン領域となるものであるが、異なる断面位置にお
いてはスイッチング薄膜トランジスタ１４２のチャネル領域及びソース・ドレイ
ン領域となる半導体膜も形成されている。つまり、第３図〜第５図に示す製造工
程では二種類のトランジスタ１４２、１４３が同時に作られるのであるが、同じ
手順で作られるため、以下の説明では、トランジスタに関しては、カレント薄膜
トランジスタ１４３についてのみ説明し、スイッチング薄膜トランジスタ１４２
については説明を省略する。
【０１２３】
次いで、第３図（ｃ）に示すように、アルミニウム、タンタル、モリブデン、
チタン、タングステンなどの金属膜からなる導電膜をスパッタ法により形成した
後、パターニングし、ゲート電極１４３Ａを形成する。
【０１２４】
この状態で、高濃度のリンイオンを打ち込んで、シリコン薄膜２１０に、ゲー
ト電極１４３Ａに対して自己整合的にソース・ドレイン領域１４３ａ、１４３ｂ
を形成する。なお、不純物が導入されなかった部分がチャネル領域１４３ｃとな
る。
【０１２５】
次いで、第３図（ｄ）に示すように、層間絶縁膜２３０を形成した後、コンタ
クトホール２３２、２３４を形成し、それらコンタクトホール２３２、２３４内
に中継電極２３６、２３８を埋め込む。
【０１２６】
次いで、第３図（ｅ）に示すように、層間絶縁膜２３０上に、信号線１３２、
共通給電線１３３及び走査線（第３図には図示せず。）を形成する。このとき、
信号線１３２、共通給電線１３３及び走査線の各配線は、配線として必要な厚さ
に捕らわれることなく、十分に厚く形成する。
【０１２７】
具体的には、各配線を１〜２μｍ程度の厚さに形成する。ここで中継電極２３
８と各配線とは、同一工程で形成されていてもよい。この時、中継電極２３６は
、後述するＩＴＯ膜により形成されることになる。
【０１２８】
そして、各配線の上面をも覆うように層間絶縁膜２４０を形成し、中継電極２
３６に対応する位置にコンタクトホール２４２を形成し、そのコンタクトホール
２４２内にも埋め込まれるようにＩＴＯ膜を形成し、そのＩＴＯ膜をパターニン
グして、信号線１３２、共通給電線１３３及び走査線に囲まれた所定位置に、ソ
ース・ドレイン領域１４３ａに電気的に接続する画素電極１４１を形成する。
【０１２９】
ここで、第３図（ｅ）では、信号線１３２及び共通給電線１３３に挟まれた部
分が、光学材料が選択的に配置される所定位置に相当するものである。そして、
その所定位置とその周囲との間には、信号線１３２や共通給電線１３３によって
段差１１１が形成されている。具体的には、所定位置の方がその周囲よりも低く
なっている凹型の段差１１１が形成されている。
【０１３０】
次いで、第４図（ａ）に示すように、表示基板１２１の上面を上に向けた状態
で、インクジェットヘッド方式により、発光素子１４０の下層部分に当たる正孔
注入層を形成するための液状（溶媒に溶かされた溶液状）の光学材料（前駆体）
１１４Ａを吐出し、これを段差１１１で囲まれた領域内（所定位置）に選択的に
塗布する。なお、インクジェット方式の具体的な内容は、本発明の要旨ではない
ため、省略する（かかる方式については、例えば、特開昭５６−１３１８４号公
報や特開平２−１６７７５１号公報を参照）。
【０１３１】
正孔注入層を形成するための材料としては、ポリマー前駆体がポリテトラヒド
ロチオフェニルフェニレンであるポリフェニレンビニレン、１，１−ビス−（４
−Ｎ，Ｎ−ジトリルアミノフェニル）シクロヘキサン、トリス（８−ヒドロキシ
キノリノール）アルミニウム等が挙げられる。
【０１３２】
このとき、液状の前駆体１１４Ａは、流動性が高いため、水平方向に広がろう
とするが、塗布された位置を取り囲むように段差１１１が形成されているため、
その液状の前駆体１１４Ａの１回当たりの塗布量を極端に大量にしなければ、液
状の前駆体１１４Ａが段差１１１を越えて所定位置の外側に広がることは防止さ
れる。
【０１３３】
次いで、第４図（ｂ）に示すように、加熱或いは光照射により液状の前駆体１
１４Ａの溶媒を蒸発させて、画素電極１４１上に、固形の薄い正孔注入層１４０
ａを形成する。ここでは、液状の前駆体１１４Ａの濃度にもよるが、薄い正孔注
入層１４０ａしか形成されない。そこで、より厚い正孔注入層１４０ａを必要と
する場合には、第４図（ａ）及び（ｂ）の工程を必要回数繰り返し実行し、第４
図（ｃ）に示すように、十分な厚さの正孔注入層１４０Ａを形成する。
【０１３４】
次いで、第５図（ａ）に示すように、表示基板１２１の上面を上に向けた状態
で、インクジェットヘッド方式により、発光素子１４０の上層部分に当たる有機
半導体膜を形成するための液状（溶媒に溶かされた溶液状）の光学材料（有機蛍
光材料）１１４Ｂを吐出し、これを段差１１１で囲まれた領域内（所定位置）に
選択的に塗布する。
【０１３５】
有機蛍光材料としては、シアノポリフェニレンビニレン、ポリフェニレンビニ
レン、ポリアルキルフェニレン、２，３，６，７−テトラヒドロ−１１−オキソ
−１Ｈ，５Ｈ，１１Ｈ（１）ベンゾピラノ［６，７，８−ｉｊ］−キノリジン−
１０ーカルボン酸、１，１−ビス−（４−Ｎ，Ｎ−ジトリルアミノフェニル）シ
クロヘキサン、２−１３’，４’−ジヒドロキシフェニル）−３，５，７−トリ
ヒドロキシ−１−ベンゾピリリウムパークロレート、トリス（８−ヒドロキシキ
ノリノール）アルミニウム、２，３，６，７−テトラヒドロ−９−メチル−１１
−オキソ−１Ｈ，５Ｈ，１１Ｈ（１）ベンゾピラノ［６，７，８−ｉｊ］−キノ
リジン、アロマティックジアミン誘導体（ＴＤＰ）、オキシジアゾールダイマー
（ＯＸＤ）、オキシジアゾール誘導体（ＰＢＤ）、ジスチルアリーレン誘導体（
ＤＳＡ）、キノリノール系金属錯体、ベリリウム−ベンゾキノリノール錯体（Ｂ
ｅｂｑ）、トリフェニルアミン誘導体（ＭＴＤＡＴＡ）、ジスチリル誘導体、ピ
ラゾリンダイマー、ルブレン、キナクリドン、トリアゾール誘導体、ポリフェニ
レン、ポリアルキルフルオレン、ポリアルキルチオフェン、アゾメチン亜鉛錯体
、ポリフィリン亜鉛錯体、ベンゾオキサゾール亜鉛錯体、フェナントロリンユウ
ロピウム錯体等が挙げられる。
【０１３６】
このとき、液状の有機蛍光材料１１４Ｂは、流動性が高いため、やはり水平方
向に広がろうとするが、塗布された位置を取り囲むように段差１１１が形成され
ているため、その液状の有機蛍光材料１１４Ｂの１回当たりの塗布量を極端に大
量にしなければ、液状の有機蛍光材料１１４Ｂが段差１１１を越えて所定位置の
外側に広がることは防止される。
【０１３７】
次いで、第５図（ｂ）に示すように、加熱或いは光照射により液状の有機蛍光
材料１１４Ｂの溶媒を蒸発させて、正孔注入層１４０Ａ上に、固形の薄い有機半
導体膜１４０ｂを形成する。ここでは、液状の有機蛍光材料１１４Ｂの濃度にも
よるが、薄い有機半導体膜１４０ｂしか形成されない。そこで、より厚い有機半
導体膜１４０ｂを必要とする場合には、第５図（ａ）及び（ｂ）の工程を必要回
数繰り返し実行し、第５図（ｃ）に示すように、十分な厚さの有機半導体膜１４
０Ｂを形成する。正孔注入層１４０Ａ及び有機半導体膜１４０Ｂによって、発光
素子１４０が構成される。最後に、第５図（ｄ）に示すように、表示基板１２１
の表面全体に若しくはストライプ状に反射電極１５４を形成する。
【０１３８】
このように、本実施の形態にあっては、発光素子１４０が配置される処置位置
を四方から取り囲むように信号線１３２、共通配線１３３等の配線を形成すると
ともに、それら配線を通常よりも厚く形成して段差１１１を形成し、そして、液
状の前駆体１１４Ａや液状の有機蛍光材料１１４Ｂを選択的に塗布するようにし
ているため、発光素子１４０のパターニング精度が高いという利点がある。
【０１３９】
そして、段差１１１を形成すると、反射電極１５４は比較的凹凸の大きな面に
形成されることになるが、その反射電極１５４の厚さをある程度厚くしておけば
、断線等の不具合が発生する可能性は極めて小さくなる。
【０１４０】
しかも、信号線１３２や共通配線１３３等の配線を利用して段差１１１を形成
するため、特に新たな工程が増加する訳ではないから、製造工程の大幅な複雑化
等を招くこともない。
【０１４１】
なお、液状の前駆体１１４Ａや液状の有機蛍光材料１１４Ｂが、段差１１１の
内側から外側に流れ出すことをより確実に防止するためには、液状の前駆体１１
４Ａや液状の有機蛍光材料１１４Ｂの塗布厚さｄa と、段差１１１の高さｄr と
の間に、
ｄa ＜ｄr         ……（１）
という関係が成立するようにしておくことが望ましい。
【０１４２】
ただし、液状の有機蛍光材料１１４Ｂを塗布する際には、既に正孔注入層１４
０Ａが形成されているため、段差１１１の高さｄr は、当初の高さからその正孔
注入層１４０Ａの分を差し引いて考えることが必要である。
【０１４３】
また、上記（１）式を満足するとともに、さらに、有機半導体膜１４０Ｂに印
加される駆動電圧Ｖd と、液状の有機蛍光材料１１４Ｂの各塗布厚さの和ｄb と
、液状の有機蛍光材料１１４Ｂの濃度ｒと、有機半導体膜１４０Ｂに光学特性変
化が現れる最少の電界強度（しきい電界強度）Ｅt との間に、
Ｖd ／（ｄb ・ｒ）＞Ｅt     ……（２）
という関係が成立するようにすれば、塗布厚さと駆動電圧との関係が明確化され
、有機半導体膜１４０Ｂの電気光学効果が発現することが補償される。
【０１４４】
一方、段差１１１と発光素子１４０との平坦性が確保でき、有機半導体膜１４
０Ｂの光学特性変化の一様性と、短絡の防止を可能とするためには、発光素子１
４０の完成時の厚さｄf と、段差１１１の高さｄr との間に、
ｄf ＝ｄr         ……（３）
という関係を成立させればよい。
【０１４５】
さらに、上記（３）式を満足するとともに、下記の（４）式を満足すれば、発
光素子１４０の完成時の厚さと駆動電圧との関係が明確化され、有機蛍光材料の
電気光学効果が発現することが補償される。
【０１４６】
Ｖd ／ｄf ＞Ｅt   ……（４）
ただし、この場合のｄf は、発光素子１４０全体ではなく、有機半導体膜１４
０Ｂの完成時の厚さである。
【０１４７】
なお、発光素子１４０の上層部を形成する光学材料は、有機蛍光材料１１４Ｂ
に限定されるものではなく、無機の蛍光材料であってもよい。
【０１４８】
また、スイッチング素子としての各トランジスタ１４２、１４３は、６００℃
以下の低温プロセスで形成された多結晶シリコンにより形成することが望ましく
、これにより、ガラス基板の使用による低コスト化と、高移動度による高性能化
が両立できる。なお、スイッチング素子は、非晶質シリコンまたは６００℃以上
の高温プロセスで形成された多結晶シリコンにより形成されてもよい。
【０１４９】
そして、スイッチング薄膜トランジスタ１４２およびカレント薄膜トランジス
タ１４３の他にトランジスタを設ける形式であってもよいし、或いは、一つのト
ランジスタで駆動する形式であってもよい。
【０１５０】
また、段差１１１は、パッシブマトリクス型表示素子の第１のバス配線、アク
ティブマトリクス型表示素子の走査線１３１および、遮光層によって形成しても
よい。
【０１５１】
なお、発光素子１４０としては、発光効率（正孔注入率）がやや低下するもの
の、正孔注入層１４０Ａを省略してもよい。また、正孔注入層１４０Ａに代えて
電子注入層を有機半導体膜１４０Ｂと反射電極１５４との間に形成してもよいし
、或いは、正孔注入層及び電子注入層の双方を形成してもよい。
【０１５２】
また、上記実施の形態では、特にカラー表示を念頭において、各発光素子１４
０全体を選択的に配置した場合について説明したが、例えば単色表示の表示装置
１の場合には、第６図に示すように、有機半導体膜１４０Ｂは、表示基板１２１
全面に一様に形成してもよい。ただし、この場合でも、クロストークを防止する
ために正孔注入層１４０Ａは各所定位置毎に選択的に配置しなければならないた
め、段差１１１を利用した塗布が極めて有効である。
【０１５３】
（２）第２の実施の形態
第７図は本発明の第２の実施の形態を示す図であって、この実施の形態は、本
発明に係るマトリクス型表示素子及びその製造方法を、ＥＬ表示素子を用いたパ
ッシブマトリクス型の表示装置に適用したものである。
【０１５４】
なお、第７図（ａ）は、複数の第１のバス配線３００と、これに直交する方向
に配設された複数の第２のバス配線３１０と、の配置関係を示す平面図であり、
第７図（ｂ）は、同（ａ）のＢ−Ｂ線断面図である。なお、上記第１の実施の形
態と同様の構成には、同じ符号を付し、その重複する説明は省略する。また、細
かな製造工程等も上記第１の実施の形態と同様であるため、その図示及び説明は
省略する。
【０１５５】
即ち、本実施の形態にあっては、発光素子１４０が配置される所定位置を取り
囲むように、例えばＳｉＯ2 等の絶縁膜３２０が配設されていて、これにより、
所定位置とその周囲との間に、段差１１１が形成されている。
【０１５６】
このような構成であっても、上記第１の実施の形態と同様に、液状の前駆体１
１４Ａや液状の有機蛍光材料１１４Ｂを選択的に塗布する際に、それらが周囲に
流れ出ることが防止でき、高精度のパターニングが行える等の利点がある。
【０１５７】
（３）第３の実施の形態
第８図は本発明の第３の実施の形態を示す図であって、この実施の形態も、上
記第１の実施の形態と同様に、本発明に係るマトリクス型表示素子及びその製造
方法を、ＥＬ表示素子を用いたアクティブマトリクス型の表示装置に適用したも
のである。より具体的には、画素電極１４１を利用して段差１１１を形成するこ
とにより、高精度のパターニングが行えるようにしたものである。なお、上記実
施の形態と同様の構成には、同じ符号を付しておく。また、第８図は製造工程の
途中を示す断面図であり、その前後は上記第１の実施の形態と略同様であるため
その図示及び説明は省略する。
【０１５８】
即ち、本実施の形態では、画素電極１４１を通常よりも厚く形成し、これによ
り、その周囲と間に段差１１１を形成している。つまり、本実施の形態では、後
に光学材料が塗布される画素電極１４１の方がその周囲よりも高くなっている凸
型の段差が形成されている。
【０１５９】
そして、上記第１の実施の形態と同様に、インクジェットヘッド方式により、
発光素子１４０の下層部分に当たる正孔注入層を形成するための液状（溶媒に溶
かされた溶液状）の光学材料（前駆体）１１４Ａを吐出し、画素電極１４１上面
に塗布する。
【０１６０】
ただし、上記第１の実施の形態の場合とは異なり、表示基板１２１を上下逆に
した状態、つまり液状の前駆体１１４Ａが塗布される画素電極１４１上面を下方
に向けた状態で、液状の前駆体１１４Ａの塗布を行う。
【０１６１】
すると、液状の前駆体１１４Ａは、重力と表面張力とによって、画素電極１４
１上面に溜まり、その周囲には広がらない。よって、加熱や光照射等を行って固
形化すれば、第４図（ｂ）と同様の薄い正孔注入層を形成でき、これを繰り返せ
ば正孔注入層が形成される。同様の手法で、有機半導体膜も形成される。
【０１６２】
このように、本実施の形態では、凸型の段差１１１を利用して液状の光学材料
を塗布して発光素子のパターニング精度を向上することができる。
【０１６３】
なお、遠心力等の慣性力を利用して、画素電極１４１上面に溜まる液状の光学
材料の量を調整するようにしてもよい。
【０１６４】
（４）第４の実施の形態
第９図は本発明の第４の実施の形態を示す図であって、この実施の形態も、上
記第１の実施の形態と同様に、本発明に係るマトリクス型表示素子及びその製造
方法を、ＥＬ表示素子を用いたアクティブマトリクス型の表示装置に適用したも
のである。なお、上記実施の形態と同様の構成には、同じ符号を付しておく。ま
た、第９図は製造工程の途中を示す断面図であり、その前後は上記第１の実施の
形態と略同様であるためその図示及び説明は省略する。
【０１６５】
即ち、本実施の形態では、先ず、表示基板１２１上に、反射電極１５４を形成
し、次いで、反射電極１５４上に、後に発光素子１４０が配置される所定位置を
取り囲むように絶縁膜３２０を形成し、これにより所定位置の方がその周囲より
も低くなっている凹型の段差１１１を形成する。
【０１６６】
そして、上記第１の実施の形態と同様に、段差１１１で囲まれた領域内に、イ
ンクジェット方式により液状の光学材料を選択的に塗布することにより、発光素
子１４０を形成する。
【０１６７】
一方、剥離用基板１２２上に、剥離層１５２を介して、走査線１３１、信号線
１３２、画素電極１４１、スイッチング薄膜トランジスタ１４２、カレント薄膜
トランジスタ１４３および絶縁膜２４０を形成する。
【０１６８】
最後に、表示基板１２１上に、剥離用基板１２２上の剥離層１２２から剥離さ
れた構造を転写する。
【０１６９】
このように、本実施の形態であっても、段差１１１を利用して液状の光学材料
を塗布するようにしたから、高精度のパターニングが行える。
【０１７０】
さらに、本実施の形態では、発光素子１４０等の下地材料への、その後の工程
によるダメージ、あるいは、走査線１３１、信号線１３２、画素電極１４１、ス
イッチング薄膜トランジスタ１４２、カレント薄膜トランジスタ１４３または絶
縁膜２４０への、光学材料の塗布等によるダメージを、軽減することが可能とな
る。
【０１７１】
本実施の形態では、アクティブマトリクス型表示素子として説明したが、パッ
シブマトリクス型表示素子であってもよい。
【０１７２】
（５）第５の実施の形態
第１０図は本発明の第６の実施の形態を示す図であって、この実施の形態も、
上記第１の実施の形態と同様に、本発明に係るマトリクス型表示素子及びその製
造方法を、ＥＬ表示素子を用いたアクティブマトリクス型の表示装置に適用した
ものである。なお、上記実施の形態と同様の構成には、同じ符号を付しておく。
また、第１０図は製造工程の途中を示す断面図であり、その前後は上記第１の実
施の形態と略同様であるためその図示及び説明は省略する。
【０１７３】
即ち、本実施の形態では、層間絶縁膜２４０を利用して凹型の段差１１１を形
成していて、これにより、上記第１の実施の形態と同様の作用効果を得るように
している。
【０１７４】
また、層間絶縁膜２４０を利用して段差１１１を形成するため、特に新たな工
程が増加する訳ではないから、製造工程の大幅な複雑化等を招くこともない。
【０１７５】
（６）第６の実施の形態
第１１図は本発明の第６の実施の形態を示す図であって、この実施の形態も、
上記第１の実施の形態と同様に、本発明に係るマトリクス型表示素子及びその製
造方法を、ＥＬ表示素子を用いたアクティブマトリクス型の表示装置に適用した
ものである。なお、上記実施の形態と同様の構成には、同じ符号を付しておく。
また、第１１図は製造工程の途中を示す断面図であり、その前後は上記第１の実
施の形態と略同様であるためその図示及び説明は省略する。
【０１７６】
即ち、本実施の形態では、段差を利用してパターニング精度を向上させるので
はなく、液状の光学材料が塗布される所定位置の親水性を、その周囲の親水性よ
りも相対的に強くすることにより、塗布された液状の光学材料が周囲に広がらな
いようにしたものである。
【０１７７】
具体的には、第１１図に示すように、層間絶縁膜２４０を形成した後に、その
上面に非晶質シリコン層１５５を形成している。非晶質シリコン層１５５は、画
素電極１４１を形成するＩＴＯよりも相対的に撥水性が強いので、ここに、画素
電極１４１表面の親水性がその周囲の親水性よりも相対的に強い撥水性・親水性
の分布が形成される。
【０１７８】
そして、上記第１の実施の形態と同様に、画素電極１４１の上面に向けて、イ
ンクジェット方式により液状の光学材料を選択的に塗布することにより、発光素
子１４０を形成し、最後に反射電極を形成する。
【０１７９】
このように、本実施の形態であっても、所望の撥水性・親液性の分布を形成し
てから液状の光学材料を塗布するようにしているから、パターニングの精度を向
上させることができる。
【０１８０】
なお、本実施の形態の場合も、パッシブマトリクス型表示素子に適用できるこ
とは勿論である。
【０１８１】
また、剥離用基板１２１上に剥離層１５２を介して形成された構造を、表示基
板１２１に転写する工程を含んでいてもよい。
【０１８２】
さらに、本実施の形態では、所望の撥水性・親水性の分布を、非晶質シリコン
層１５５によって形成しているが、撥水性・親水性の分布は、金属や、陽極酸化
膜、ポリイミドまたは酸化シリコン等の絶縁膜や、他の材料により形成されてい
てもよい。なお、パッシブマトリクス型表示素子であれば第１のバス配線、アク
ティブマトリクス型表示素子であれば走査線１３１、信号線１３２、画素電極１
４１、絶縁膜２４０或いは遮光層によって形成してもよい。また、本実施の形態
では、液状の光学材料が水溶液であることを前提に説明したが、他の液体の溶液
を用いた液状の光学材料であってもよく、その場合は、その溶液に対して撥液性
・親液性が得られるようにすればよい。
【０１８３】
（７）第７の実施の形態
本発明の第７の実施の形態は、断面構造は上記第５の実施の形態で使用した第
１０図と同様であるため、これを用いて説明する。
【０１８４】
即ち、本実施の形態では、層間絶縁膜２４０をＳｉＯ2 で形成するとともに、
その表面に紫外線を照射し、その後に、画素電極１４１表面を露出させ、そして
液状の光学材料を選択的に塗布するようになっている。
【０１８５】
このような製造工程であれば、段差１１１が形成されるだけでなく、層間絶縁
膜２４０表面に沿って撥液性の強い分布が形成されるため、塗布された液状の光
学材料は、段差１１１と層間絶縁膜２４０の撥液性との両方の作用によって所定
位置に溜まり易くなっている。つまり、上記第５の実施の形態と、上記第６の実
施の形態との両方の作用が発揮されるから、さらに発光素子１４０のパターニン
グ精度を向上させることができる。
【０１８６】
なお、紫外線を照射するタイミングは、画素電極１４１の表面を露出させる前
後いずれでもよく、層間絶縁膜２４０を形成する材料や、画素電極１４１を形成
する材料等に応じて適宜選定すればよく。ちなみに、画素電極１４１の表面を露
出させる前に紫外線を照射する場合には、段差１１１の内壁面は撥液性が強くな
らないから、段差１１１で囲まれた領域に液状の光学材料を溜めることにとって
有利である。これとは逆に、画素電極１４１の表面を露出させた後に紫外線を照
射する場合には、段差１１１の内壁面の撥液性が強くならないように垂直に紫外
線を照射する必要があるが、画素電極１４１の表面を露出する際のエッチング工
程の後で紫外線を照射するため、そのエッチング工程によって撥液性が弱まるよ
うな懸念がないという利点がある。
【０１８７】
また、層間絶縁膜２４０を形成する材料としては、例えばフォトレジストを用
いることもできるし、或いはポリイミドを用いてもよく、これらであればスピン
コートにより膜を形成できるという利点がある。
【０１８８】
そして、層間絶縁膜２４０を形成する材料によっては、紫外線を照射するので
はなく、例えばＯ2 、ＣＦ3 、Ａｒ等のプラズマを照射することにより撥液性が
強くなるようにしてもよい。
【０１８９】
（８）第８の実施の形態
第１２図は本発明の第８の実施の形態を示す図であって、この実施の形態も、
上記第１の実施の形態と同様に、本発明に係るマトリクス型表示素子及びその製
造方法を、ＥＬ表示素子を用いたアクティブマトリクス型の表示装置に適用した
ものである。なお、上記実施の形態と同様の構成には、同じ符号を付しておく。
また、第１２図は製造工程の途中を示す断面図であり、その前後は上記第１の実
施の形態と略同様であるためその図示及び説明は省略する。
【０１９０】
即ち、本実施の形態では、段差や撥液性・親液性の分布等を利用してパターニ
ング精度を向上させるのではなく、電位による引力や斥力を利用してパターニン
グ精度の向上を図っている。
【０１９１】
つまり、第１２図に示すように、信号線１３２や共通給電線１３３を駆動する
とともに、図示しないトランジスタを適宜オン・オフすることにより、画素電極
１４１がマイナス電位となり、層間絶縁膜２４０がプラス電位となる電位分布を
形成する。そして、インクジェット方式により、プラスに帯電した液状の光学材
料１１４を所定位置に選択的に塗布する。
【０１９２】
このように、本実施の形態であれば、表示基板１２１上に所望の電位分布を形
成し、その電位分布と、プラスに帯電した液状の光学材料１１４との間の引力及
び斥力を利用して、液状の光学材料を選択的に塗布しているから、パターニング
の精度を向上させることができる。
【０１９３】
特に、本実施の形態では、液状の光学材料１１４を帯電させているので、自発
分極だけでなく帯電電荷も利用することにより、パターニングの精度を向上する
効果が、さらに高まる。
【０１９４】
本実施の形態では、アクティブマトリクス型表示素子に適用した場合を示して
いるが、パッシブマトリクス型表示素子であっても適用可能である。
【０１９５】
なお、剥離用基板１２１上に剥離層１５２を介して形成された構造を、表示基
板１２１に転写する工程を含んでいてもよい。
【０１９６】
また、本実施の形態では、所望の電位分布は、走査線１３１に順次電位を印加
し、同時に信号線１３２および共通線１３３に電位を印加し、画素電極１４１に
スイッチング薄膜トランジスタ１４２およびカレント薄膜トランジスタ１４３を
介して電位を印加することにより形成される。
【０１９７】
電位分布を走査線１３１、信号線１３２、共通線１３３および画素電極１４１
で形成することにより、工程の増加が抑制できる。なお、パッシブマトリクス型
表示素子であれば、電位分布は、第１のバス配線および遮光層によって形成する
ことができる。
【０１９８】
さらに、本実施の形態では、画素電極１４１と、その周囲の層間絶縁膜２４０
との両方に電位を与えているが、これに限定されるものではなく、例えば第１３
図に示すように、画素電極１４１には電位を与えず、層間絶縁膜２４０にのみプ
ラス電位を与え、そして、液状の光学材料１１４をプラスに帯電させてから塗布
するようにしてもよい。このようにすれば、塗布された後にも、液状の光学材料
１１４は確実にプラスに帯電した状態を維持できるから、周囲の層間絶縁膜２４
０との間の斥力によって、液状の光学材料１１４が周囲に流れ出ることをより確
実に防止することができるようになる。
【０１９９】
なお、上記各実施の形態で説明したものとは異なり、例えば、段差１１１を、
液状の材料を塗布することにより形成してもよいし、或いは、段差１１１を、剥
離用基板上に剥離層を介して材料を形成し、表示基板上に剥離用基板上の剥離層
から剥離された構造を転写することにより形成してもよい。
【０２００】
また、上記各実施の形態では、光学材料として有機又は無機のＥＬが適用可能
であるとして説明したが、これに限定されるものではなく、光学材料は液晶であ
ってもよい。
産業上の利用可能性
以上説明したように、本発明によれば、段差や、所望の撥液性・親液性の分布
や、所望の電位分布等を利用して液状の光学材料を塗布するようにしたから、光
学材料のパターニング精度を向上することができるという効果がある。
【図面の簡単な説明】
【０２０１】
【図１】は、本発明の第１の実施の形態における表示装置の一部を示す回路図である。
【図２】画素領域の平面構造を示す拡大平面図である。
【図３】第１の実施の形態における製造工程の流れを示す断面図である。
【図４】第１の実施の形態における製造工程の流れを示す断面図である。
【図５】第１の実施の形態における製造工程の流れを示す断面図である。
【図６】第１の実施の形態の変形例を示す断面図である。
【図７】第２の実施の形態を示す平面図及び断面図である。
【図８】第３の実施の形態の製造工程の一部を示す断面図である。
【図９】第４の実施の形態の製造工程の一部を示す断面図である。
【図１０】第５の実施の形態の製造工程の一部を示す断面図である。
【図１１】第６の実施の形態の製造工程の一部を示す断面図である。
【図１２】第８の実施の形態の製造工程の一部を示す断面図である。
【図１３】第８の実施の形態の変形例を示す断面図である。
【図１】
2007053114.tif 000003
【図２】
2007053114.tif 000004
【図３】
2007053114.tif 000005
【図４】
2007053114.tif 000006
【図５】
2007053114.tif 000007
【図６】
2007053114.tif 000008
【図７】
2007053114.tif 000009
【図８】
2007053114.tif 000010
【図９】
2007053114.tif 000011
【図１０】
2007053114.tif 000012
【図１１】
2007053114.tif 000013
【図１２】
2007053114.tif 000014
【図１３】
2007053114.tif 000015
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
複数の第１電極と、第２電極と、前記第１電極と前記第２電極との間に設けられた有機半導体膜とを有する発光素子の製造方法であって、
基板上に、前記複数の第１電極を形成する工程と、
前記複数の第１電極の少なくとも一部を露出させ、前記露出された複数の第１電極とその周囲との間に段差を形成することにより、前記露出された複数の第１電極が前記段差により囲まれるように、層間絶縁膜を形成する工程と、
インクジェット法により、溶媒に溶かされた正孔注入層を形成するための材料を前記段差により囲まれた領域内に選択的に塗布する工程と、
前記溶媒を除去し、前記正孔注入層を前記段差により囲まれた領域内に形成する工程と、
前記複数の第１電極及び前記正孔注入層の上に、前記有機半導体膜を形成する工程と、
前記有機半導体膜及び前記層間絶縁膜の上に前記第２電極を形成する工程と、
を具備することを特徴とする発光素子の製造方法。
【請求項２】
複数の走査線と、複数の信号線と、複数の共通給電線とをさらに備え、
前記複数の走査線と前記信号線との交点に複数の画素が設けられており、
前記複数の画素の各々には、前記複数の第１電極の１つとしての画素電極が設けられていることを特徴とする請求項１に記載の発光素子の製造方法。
【請求項３】
前記第２電極は、前記基板の表面全体に設けられた電極もしくはストライプ状に設けられた電極であることを特徴とする請求項１又は２に記載の発光素子の製造方法。
【手続補正３】
【補正対象書類名】明細書
【補正対象項目名】００１５
【補正方法】変更
【補正の内容】
【００１５】
本発明の発光素子の製造方法は、複数の第１電極と、第２電極と、前記第１電極と前記第２電極との間に設けられた有機半導体膜とを有する発光素子の製造方法であって、基板上に、前記複数の第１電極を形成する工程と、前記複数の第１電極の少なくとも一部を露出させ、前記露出された複数の第１電極とその周囲との間に段差を形成することにより、前記露出された複数の第１電極が前記段差により囲まれるように、層間絶縁膜を形成する工程と、インクジェット法により、溶媒に溶かされた正孔注入層を形成するための材料を前記段差により囲まれた領域内に選択的に塗布する工程と、前記溶媒を除去し、前記正孔注入層を前記段差により囲まれた領域内に形成する工程と、前記複数の第１電極及び前記正孔注入層の上に、前記有機半導体膜を形成する工程と、前記有機半導体膜及び前記層間絶縁膜の上に前記第２電極を形成する工程と、を具備することを特徴とする。
また、本発明の発光素子の製造方法は、上記の発光素子の製造方法において、複数の走査線と、複数の信号線と、複数の共通給電線とをさらに備え、前記複数の走査線と前記信号線との交点に複数の画素が設けられており、前記複数の画素の各々には、前記複数の第１電極の１つとしての画素電極が設けられていることを特徴とする。
また、本発明の発光素子の製造方法は、上記の発光素子の製造方法において、前記第２電極は、前記基板の表面全体に設けられた電極もしくはストライプ状に設けられた電極であることを特徴とする。